(57)【特許請求の範囲】
【請求項１】
液体及び／または固体からなる媒体が入れられる槽の床部であって、一方向に沿って上記媒体との熱交換を行う管状の熱交換体が付設される床部の全部若しくは一部を構成するとともに、矩形板状に形成され上記一方向に沿って複数連設されて列状部を形成する槽用床部材において、
上記床部の床面を形成可能な一方面，該床部の床面を形成可能な他方面，上記一方向に沿う一対の外側端，上記一方向に直交し互いに接合される形状に形成された一対の接合側端を有して形成し、上記列状部の床面を一方面及び他方面の何れか一方により形成可能にし、上記一方面側に上記一方向に沿い上記熱交換体を収納して保持可能な１若しくは２以上の収納溝を形成し、上記他方面側に上記一方向に沿い上記熱交換体を収納して保持可能な１若しくは２以上の収納溝を形成し、上記一方面側の収納溝の数と上記他方面側の収納溝の数とを異ならせたことを特徴とする槽用床部材。
【請求項２】
上記一対の接合側端のうち、一方の接合側端に、上記一方面側であって上記一対の外側端間に亘って凸設される第１係合凸部を形成するとともに、上記他方面側であって上記一対の外側端間に亘り且つ上記第１係合凸部に隣接して凹設される第１係合凹部を形成し、
上記一対の接合側端のうち、他方の接合側端に、上記他方面側であって上記一対の外側端間に亘って凸設され上記第１係合凹部が係合する関係にある形状の第２係合凸部を形成するとともに、上記一方面側であって上記一対の外側端間に亘り且つ上記第２係合凸部に隣接して凹設され上記第１係合凸部が係合する関係にある形状の第２係合凹部を形成したことを特徴とする請求項１記載の槽用床部材。
【請求項３】
上記第１係合凸部及び第１係合凹部を上記一対の外側端間に亘って連続形成し、上記第２係合凸部及び第２係合凹部を上記一対の外側端間に亘って連続形成したことを特徴とする請求項２記載の槽用床部材。
【請求項４】
上記第１係合凸部と第２係合凹部との係合関係、及び、上記第１係合凹部と第２係合凸部との係合関係が、上記一方向に直交し上記一対の外側端を結ぶ他方向への移動を規制する関係になるように、上記第１係合凸部，第１係合凹部，第２係合凸部及び第２係合凹部に、上記収納溝を囲繞する段差部を形成したことを特徴とする請求項３記載の槽用床部材。
【請求項５】
上記一方面及び他方面に、上記収納溝の開口を跨いで塞ぐとともに上記熱交換体にその長手方向に沿って接触して上記媒体に熱を伝達可能するための金属製の伝熱板を支承する支承部を設け、該支承部を、上記伝熱板の支承時に該伝熱板の表面が支承に係る一方面または他方面の一般面と面一になるように該一方面及び他方面に凹設したことを特徴とする請求項１乃至４何れかに記載の槽用床部材。
【請求項６】
液体及び／または固体からなる媒体が入れられる槽において、
上記請求項１乃至５何れかに記載の槽用床部材を用いて上記一方面及び他方面の何れか一方により形成される床面を有した列状部を形成し、該列状部の１つにより若しくは複数を上記一方向に直交し上記一対の外側端を結ぶ他方向に列設して床部を形成し、該列状部の収納溝に上記熱交換体を収納して保持したことを特徴とする槽。
【発明の詳細な説明】
【技術分野】
【０００１】
本発明は、ハウス栽培などで用いられ野菜や果物などの植物を生育させる水耕栽培槽，培地栽培槽、養魚用の水槽あるいは水泳用のプール槽等の槽の床を構成する槽用床部材及びこれを用いた槽に係り、特に、槽に入れられる媒体との熱交換を行う熱交換体が付設される槽用床部材及び槽に関する。
【背景技術】
【０００２】
従来、この種の槽として、例えば、ハウス栽培などで用いられる培地栽培槽であって、特許第４８４５９８４号公報（特許文献１）に記載された技術が知られている。
図９に示すように、この培地栽培槽Ｓａは、内側に植物の根を生育させる培地からなる媒体Ｍが入れられるもので、発泡スチロールなどの断熱材で形成されており、床部Ｆを構成する底壁１００及び側壁１０１を有して一方向（紙面に直交する方向）に長い細長状に形成されている。底壁１００には、一方向に沿って媒体Ｍを加温若しくは冷却する管状の熱交換体Ｈが付設されている。底壁１００には、矩形板状に形成された槽用床部材１０３を一方向に沿って複数連設して形成され床部Ｆを形成する列状部１０４が嵌め込まれている。この槽用床部材１０３の床面Ｆａを形成する一方面１０３ａ側には、一方向に沿い熱交換体Ｈを収納して保持可能な１つの収納溝１０５が形成され、この収納溝１０５に熱交換体Ｈが入れられている。一方面１０３ａには収納溝１０５の開口を跨いで塞ぐとともに熱交換体Ｈにその長手方向に沿って接触して媒体Ｍに熱を伝達可能するための金属製の伝熱板１０６が支承されている。また、伝熱板１０６の表面を含む培地栽培槽Ｓａの内側面には媒体Ｍを受ける非透水性シート１０７が付設されている。更に、培地栽培槽Ｓａの開口には、植物を貫通させて保持する複数の貫通孔１０８ａを有した蓋１０８が設けられている。符号１０９は培地栽培槽Ｓａの側壁１０１に沿って配置された散水管である。
【０００３】
これにより、この培地栽培槽Ｓａを用いて植物を栽培するときは、植物の苗を蓋１０８の貫通孔１０８ａから挿入して、媒体Ｍに設置する。そして、散水管１０９から水あるいは液肥を散布するとともに、適時に熱交換体Ｈを作動させる。これにより、植物は媒体Ｍに根付くとともに蓋１０８の貫通孔１０８ａを通して外部に育成していく。この栽培においては、例えば、冬季など比較的外気温が低いときには、熱交換体Ｈにより媒体Ｍを加温し、夏期など比較的外気温が高いときには、熱交換体Ｈにより媒体Ｍを冷却し、媒体Ｍの温度を常時適正に保つようにする。
【先行技術文献】
【特許文献】
【０００４】
【特許文献１】特許第４８４５９８４号公報
【発明の概要】
【発明が解決しようとする課題】
【０００５】
ところで、上記従来の培地栽培槽Ｓａの槽用床部材１０３にあっては、熱交換体Ｈが入れられる収納溝１０５が１つなので、熱交換体Ｈを複数本設けて、加温または冷却の熱交換の能力を上げる設定をしたい場合に、このままでは対応できないという問題があった。対応するためには、収納溝１０５を複数形成した槽用床部材を別途作成し、これを用いるようにすれば良いが、この場合には、槽用床部材の種類が増して、製造が煩雑になり、保管，管理も煩雑になるという問題がある。
本発明はこのような問題点に鑑みて為されたもので、一種類でも数の異なる熱交換体を設けることができるようにし、熱交換の能力の設定幅を広げて汎用性の向上を図るとともに、製造，保管，管理等も容易にした槽用床部材及び槽を提供することを目的とする。
【課題を解決するための手段】
【０００６】
このような目的を達成するための本発明の槽用床部材は、液体及び／または固体からなる媒体が入れられる槽の床部であって、一方向に沿って上記媒体との熱交換を行う管状の熱交換体が付設される床部の全部若しくは一部を構成するとともに、矩形板状に形成され上記一方向に沿って複数連設されて列状部を形成する槽用床部材において、
上記床部の床面を形成可能な一方面，該床部の床面を形成可能な他方面，上記一方向に沿う一対の外側端，上記一方向に直交し互いに接合される形状に形成された一対の接合側端を有して形成し、上記列状部の床面を一方面及び他方面の何れか一方により形成可能にし、上記一方面側に上記一方向に沿い上記熱交換体を収納して保持可能な１若しくは２以上の収納溝を形成し、上記他方面側に上記一方向に沿い上記熱交換体を収納して保持可能な１若しくは２以上の収納溝を形成し、上記一方面側の収納溝の数と上記他方面側の収納溝の数とを異ならせた構成としている。
ここで、媒体と熱交換体との熱交換は、熱交換体によって媒体を加温または冷却して媒体に熱を付与する場合、媒体によって熱交換体を加温または冷却して媒体から熱を取り出す場合のいずれの場合も含む。
【０００７】
この槽用床部材を用いて、槽の床部を形成するときは、槽が必要とする熱交換体による熱交換の能力に応じて、槽用床部材の一方面及び他方面に形成した収納溝の数に応じた熱交換体の配置本数を定め、これに対応して槽用床部材の一方面及び他方面のいずれかを床面にして、槽用床部材をその接合側端において順次接合して所要長さの列状部を組立てる。そして、この列状部の１つにより若しくは複数を一方向に直交する他方向に列設して床部を形成する。その後、列状部の収納溝に熱交換体を収納して保持する。また、この床部に対して、側壁を構築し、適宜、床面及び側壁内面に、シートなどの被覆部材を被覆する等して、槽を形成する。このように構築された槽においては、例えば、熱交換体によって媒体を加温または冷却して媒体に熱を付与する場合、媒体の温度が低いときには、熱交換体により媒体を加温し、媒体の温度が高いときは、熱交換体により媒体を冷却し、媒体の温度を常時適正に保つようにする。この場合、槽用床部材は一種類でも、一方面及び他方面のいずれかを選択することにより、数の異なる熱交換体を設けることができるので、熱交換の能力の設定幅を広げて汎用性の向上を図ることができる。また、槽用床部材の製造，保管，管理等も容易になる。
【０００９】
また、必要に応じ、上記一対の接合側端のうち、一方の接合側端に、上記一方面側であって上記一対の外側端間に亘って凸設される第１係合凸部を形成するとともに、上記他方面側であって上記一対の外側端間に亘り且つ上記第１係合凸部に隣接して凹設される第１係合凹部を形成し、
上記一対の接合側端のうち、他方の接合側端に、上記他方面側であって上記一対の外側端間に亘って凸設され上記第１係合凹部が係合する関係にある形状の第２係合凸部を形成するとともに、上記一方面側であって上記一対の外側端間に亘り且つ上記第２係合凸部に隣接して凹設され上記第１係合凸部が係合する関係にある形状の第２係合凹部を形成した構成としている。接合側端全体で係合凸部及び係合凹部を形成するので、連設を強固にすることができる。
【００１０】
更に、必要に応じ、上記第１係合凸部及び第１係合凹部を上記一対の外側端間に亘って連続形成し、上記第２係合凸部及び第２係合凹部を上記一対の外側端間に亘って連続形成したことが有効である。第１係合凸部，第１係合凹部，第２係合凸部及び第２係合凹部が連続形成されているので、強度を増すことができる。
【００１１】
更にまた、必要に応じ、上記第１係合凸部と第２係合凹部との係合関係、及び、上記第１係合凹部と第２係合凸部との係合関係が、上記一方向に直交し上記一対の外側端を結ぶ他方向への移動を規制する関係になるように、上記第１係合凸部，第１係合凹部，第２係合凸部及び第２係合凹部に、上記収納溝を囲繞する段差部を形成した構成としている。他方向への移動が規制されるので、槽用床部材を連設する組み付けの際に、位置決めが容易になり、組み付けを容易かつ確実に行うことができる。
【００１２】
また、必要に応じ、上記一方面及び他方面に、上記収納溝の開口を跨いで塞ぐとともに上記熱交換体にその長手方向に沿って接触して上記媒体に熱を伝達可能するための金属製の伝熱板を支承する支承部を設け、該支承部を、上記伝熱板の支承時に該伝熱板の表面が支承に係る一方面または他方面の一般面と面一になるように該一方面及び他方面に凹設した構成としている。伝熱板を設ける場合には、伝熱板は支承部に支承されるが、伝熱板の表面が支承に係る一方面または他方面の一般面と面一になるので、床面に出っ張ることがなく、そのため、媒体に対する悪影響を少なくすることができる。この場合、熱交換体は金属製の伝熱板に接触しており、例えば、熱交換体によって媒体を加温または冷却して媒体に熱を付与する場合、媒体は伝熱板を介して加温または冷却されるが、伝熱板は面状になって放熱面積も大きくなっているので、熱交換体からの熱が均一に媒体に伝達されていき、熱伝達効率が向上させられる。一方、例えば、媒体によって熱交換体を加温または冷却して媒体から熱を取り出す場合も、同様に熱伝達効率が向上させられる。
【００１３】
そして、上記目的を達成するための本発明の槽は、液体及び／または固体からなる媒体が入れられる槽において、上記の槽用床部材を用いて上記一方面及び他方面の何れか一方により形成される床面を有した列状部を形成し、該列状部の１つにより若しくは複数を上記一方向に直交し上記一対の外側端を結ぶ他方向に列設して床部を形成し、該列状部の収納溝に上記熱交換体を収納して保持する構成としている。上記と同様の作用，効果を奏する。
【発明の効果】
【００１４】
本発明によれば、槽用床部材は一種類でも、一方面及び他方面のいずれかを選択することにより、数の異なる熱交換体を設けることができるので、熱交換の能力の設定幅を広げて汎用性の向上を図ることができる。また、槽用床部材の製造，保管，管理等も容易に行うことができる。
【図面の簡単な説明】
【００１５】
【図１】本発明の実施の形態に係る槽用床部材を用いて構築された本発明の実施の形態に係る槽（水耕栽培槽）を示す断面図である。
【図２】本発明の実施の形態に係る槽用床部材を側板とともに示す斜視図である。
【図３】本発明の実施の形態に係る槽用床部材の接合側端を示す図である。
【図４】本発明の実施の形態に係る槽用床部材を示す平面図である。
【図５】本発明の実施の形態に係る槽用床部材を連設した列状部の一部をこれに組み付けられる熱交換体及び伝熱板とともに示す分解斜視図である。
【図６】本発明の実施の形態に係る槽に組み付けられる熱交換体の構造を示す図である。
【図７】本発明の実施の形態に係る槽用床部材を用いて構築された本発明の別の実施の形態に係る槽（養魚用の水槽）を示す部分断面図である。
【図８】本発明の実施の形態に係る槽用床部材を用いて構築された本発明のまた別の実施の形態に係る槽（プール）を示す部分断面図である。
【図９】従来の槽用床部材を用いて構築された従来の槽（培地栽培槽）を示す断面図である。
【発明を実施するための形態】
【００１６】
以下、添付図面に基づいて、本発明の実施の形態に係る槽用床部材及びこれを用いて構築される本発明の実施の形態に係る槽について詳細に説明する。図１乃至図５に示すように、本発明の実施の形態に係る槽Ｓは、ハウス栽培などで用いられ、例えば、トマト，パプリカ，ゴーヤ，キュウリ，ナス，イチゴ等の所謂果菜類を初め各種野菜や果物などの植物を生育させるための水耕栽培槽である。実施の形態に係る槽Ｓは、液体及び／または固体からなる媒体Ｍ（実施の形態では水耕栽培用の培養液）が入れられるもので、支持台１に支持されており、床部Ｆと床部Ｆの両側に設けられる側壁部Ｋとを備えている。床部Ｆには、一方向に沿って媒体Ｍを加温若しくは冷却する熱交換を行う管状の熱交換体Ｈが付設される。支持台１は、脚部２と、脚部２に設けられ床部Ｆを支持する複数の支持杆３と、側壁部Ｋを押える複数の押さえ杆４とを備えている。
【００１７】
熱交換体Ｈは、図６に示すように、媒液Ｗを充填した断面円形の外管Ｈａと、外管Ｈａ内に引き通され媒液Ｗを気化もしくは液化させる熱伝達管Ｈｂとを備えている。外管Ｈａに充填する媒液Ｗは、気化または液化を容易に行なうものであれば良く、水を利用することができる。ここでは、外管Ｈａ内部を常圧より減圧した状態にすることにより水の沸点を下げ、低温で気化させることができる。熱伝達管Ｈｂは、媒液Ｗに熱を供給することができる。この場合、熱源は、所望の温度を媒液Ｗに供給できる流体であればよく温水または蒸気を利用できる。これにより、熱交換体Ｈは、放熱作用を奏する。また、熱伝達管Ｈｂは、媒液Ｗから熱を吸収することができる。この場合、熱源は、所望の温度を媒液Ｗに供給できる流体であればよく冷水を利用できる。これにより、熱交換体Ｈは、吸熱作用を奏する。
【００１８】
また、熱交換体Ｈには、熱交換体Ｈにその長手方向に沿って接触部１１を介して接触して媒体Ｍに熱を伝達可能するための金属製の伝熱板１０が付設される。接触部１１は、伝熱板１０の裏面中央に長手方向に沿って一体に設けられ、熱交換体Ｈの外管Ｈａに嵌合する断面Ｃ字状に形成されている。
【００１９】
床部Ｆは、図１乃至図５に示すように、矩形板状に形成された槽用床部材２０を一方向に沿って複数連設した列状部２１の１つにより形成され、若しくは、複数を一方向Ｒａに直交する他方向Ｒｂに列設して形成される。実施の形態では、列状部２１の２つを一方向Ｒａに直交する他方向Ｒｂに接続して形成されている。詳しくは、槽用床部材２０は、発泡スチロールなどの断熱材で成形され、床部Ｆの床面Ｆａを形成可能な一方面２２，床部Ｆの床面Ｆａを形成可能な他方面２３，一方向Ｒａに沿う一対の外側端２４，一方向Ｒａに直交し互いに接合される形状に形成された一対の接合側端２５を有して形成されており、列状部２１の床面Ｆａを一方面２２及び他方面２３の何れか一方により形成可能にしている。
【００２０】
また、槽用床部材２０において、その一方面２２側には、一方向Ｒａに沿い熱交換体Ｈを収納して保持可能な１若しくは２以上の収納溝２６が形成され、他方面２３側には、一方向Ｒａに沿い熱交換体Ｈを収納して保持可能な１若しくは２以上の収納溝２６が形成されている。一方面２２側の収納溝２６の数と他方面２３側の収納溝２６の数とは異なっている。実施の形態では、一方面２２側の収納溝２６は、対称位置に所定間隔離間させて２つ（２列）形成され、他方面２３側の収納溝２６は、一方面２２側の収納溝２６間の中央位置に１つ（１列）形成されている。
【００２１】
更に、槽用床部材２０において、一対の接合側端２５のうち、一方の接合側端２５（Ａ）には、一方面２２側であって一対の外側端２４間に亘って凸設される第１係合凸部３０が形成されているとともに、他方面２３側であって一対の外側端２４間に亘り且つ第１係合凸部３０に隣接して凹設される第１係合凹部３１が形成されている。また、一対の接合側端２５のうち、他方の接合側端２５（Ｂ）に、他方面２３側であって一対の外側端２４間に亘って凸設され上記の第１係合凹部３１が係合する関係にある形状の第２係合凸部３２が形成されているとともに、一方面２２側であって一対の外側端２４間に亘り且つ第２係合凸部３２に隣接して凹設され上記の第１係合凸部３０が係合する関係にある形状の第２係合凹部３３が形成されている。
【００２２】
第１係合凸部３０及び第１係合凹部３１は一対の外側端３４間に亘って連続形成され、第２係合凸部３２及び第２係合凹部３３は一対の外側端３４間に亘って連続形成されている。そして、第１係合凸部３０と第２係合凹部３３との係合関係、及び、第１係合凹部３１と第２係合凸部３２との係合関係が、一方向Ｒａに直交し一対の外側端２４を結ぶ他方向Ｒｂへの移動を規制する関係になるように、第１係合凸部３０，第１係合凹部３１，第２係合凸部３２及び第２係合凹部３３には、収納溝２６を囲繞する円弧状の段差部３４が形成されている。隣接した槽用床部材２０同士を接合した際には、一方面２２同士（他方面２３同士）が連続し、即ち、数が同じ収納溝２６同士が連続する。
【００２３】
更にまた、一方面２２及び他方面２３には、収納溝２６の開口を跨いで塞ぐとともに熱交換体Ｈにその長手方向に沿って接触して媒体Ｍに熱を伝達可能するための金属製の上記の伝熱板１０を支承する支承部４０が設けられている。支承部４０は、伝熱板１０の支承時に伝熱板１０の表面が支承に係る一方面２２または他方面２３の一般面と面一になるように、一方面２２及び他方面２３に凹設されている。即ち、収納溝２６の開口縁部に、伝熱板１０が嵌まり込む凹所が形成されていることになる。
【００２４】
そしてまた、実施の形態に係る槽Ｓにおいては、槽Ｓの側壁部Ｋを構成する側板５０が用いられる。側板５０の下端は外側端２４に付設される。尚、槽Ｓにおいては、その一方向Ｒａ（長手方向）両端部には、端部を塞ぐ図示外の側板が設けられる。
【００２５】
また、実施の形態に係る槽Ｓにおいては、図１に示すように、伝熱板１０の表面を含み一方面２２または他方面２３と、側板５０の内面には媒体Ｍ（液体）を受ける非透水性シート５１が付設される。また、槽Ｓには、その開口を塞ぐ蓋５２が設けられる。蓋５２は、槽Ｓと同じ発泡スチロール等の断熱材で成形されており、媒体Ｍとの間に空間を形成するとともに植物を貫通させて保持する複数の貫通孔５３を有している。
【００２６】
従って、実施の形態に係る槽用床部材２０を用いて、槽Ｓを組立てるときは以下のようにする。まず、図１に示すように、支持台１の支持杆３上に槽Ｓの床部Ｆを設ける。この際には、槽Ｓが必要とする熱交換体Ｈによる加温または冷却の熱交換の能力に応じて、槽用床部材２０の一方面２２及び他方面２３に形成した収納溝２６の数に応じた熱交換体Ｈの配置本数を定め、これに対応して槽用床部材２０の一方面２２及び他方面２３のいずれかを床面Ｆａにして、槽用床部材２０をその接合側端２５において順次接合して所要長さの列状部２１を組立てる。実施の形態にかかる槽Ｓでは、図１に示すように、収納溝２６が２つある一方面２２側を床面Ｆａとしている。この場合、槽用床部材２０は一種類でも、一方面２２及び他方面２３のいずれかを選択することにより、数の異なる熱交換体Ｈを設けることができるので、加温または冷却の熱交換の能力の設定幅を広げて汎用性の向上を図ることができる。また、槽用床部材２０の製造，保管，管理等も容易になる。また、この場合、隣接する槽用床部材２０同士は、接合側端２５において、第１係合凸部３０と第２係合凹部３３とが係合するとともに、第１係合凹部３１と第２係合凸部３２とが係合して接合されるので、連設を強固にすることができる。
【００２７】
また、第１係合凸部３０，第１係合凹部３１，第２係合凸部３２及び第２係合凹部３３が連続形成されているので、より一層強度を増すことができる。更にまた、第１係合凸部３０，第１係合凹部３１，第２係合凸部３２及び第２係合凹部３３は、収納溝２６を囲繞する段差部３４を有しており、この段差部３４により槽用床部材２０は互いに他方向Ｒｂへの移動が規制されるので、槽用床部材２０を連設する組み付けの際に、位置決めが容易になり、組み付けを容易かつ確実に行うことができる。そして、この列状部２１の１つにより若しくは複数を一方向Ｒａに直交する他方向Ｒｂに列設して床部Ｆを形成する。実施の形態では、図１に示すように、列状部２１の２つを一方向Ｒａに直交する他方向Ｒｂに接続している。また、２つ接合された列状部２１の最外側に位置する外側端２４の外側に、夫々、側板５０を取り付ける。また、槽Ｓにおいては、その一方向Ｒａ（長手方向）両端部にも端部を塞ぐ図示外の側板を設ける。
【００２８】
その後、列状部２１の収納溝２６に熱交換体Ｈを収納するとともに、支承部４０に伝熱板１０を支承する。この場合、伝熱板１０の表面が支承に係る一方面２２または他方面２３の一般面と面一になるので、床面Ｆａに出っ張ることがなく、そのため、媒体Ｍに対する悪影響を少なくすることができる。更に、伝熱板１０の表面を含み一方面２２または他方面２３と、側板５０の内面に、非透水性シート５１を付設する。
【００２９】
この実施の形態に係る槽Ｓを用いて植物を栽培するときは、槽Ｓ内に溶液からなる媒体Ｍを入れ、蓋５２を被せる。それから、植生塊に根を生えさせた植物の苗を蓋５２の貫通孔５３に挿入して設置する。これにより、植物は根を液中に出して育成していく。この栽培においては、例えば、冬季など比較的外気温が低いときには、熱交換体Ｈに温水等を供給して媒体Ｍを加温し、夏期など比較的外気温が高いときには、熱交換体Ｈに冷水等を供給して媒体Ｍを冷却し、媒体Ｍの温度を常時適正に保つようにする。この場合、熱交換体Ｈは金属製の伝熱板１０に接触しており、媒体Ｍは伝熱板１０を介して加温または冷却されるが、伝熱板１０は面状になって放熱面積も大きくなっているので、熱交換体Ｈからの熱が均一に媒体Ｍに伝達されていき、熱伝達効率が向上させられる。この結果、植物の育成環境を良好に保持して、冬季，夏季の季節にかかわらず、野菜などの植物を安定して栽培できるようになる。
【００３０】
図７には、別の実施の形態に係る槽Ｓを示している。この槽Ｓは、例えば、鰻等の魚を養殖する水槽であり、地面をほぼ矩形に掘削し、予め、発泡スチロールからなる側壁部Ｋを構築するとともに、その底面に、上記実施の形態に係る槽用床部材２０を用いて、槽Ｓの床部Ｆを設ける。この際にも、槽Ｓが必要とする熱交換体Ｈによる加温または冷却の熱交換の能力に応じて、槽用床部材２０の一方面２２及び他方面２３に形成した収納溝２６の数に応じた熱交換体Ｈの配置本数を定め、これに対応して槽用床部材２０の一方面２２及び他方面２３のいずれかを床面Ｆａにして、槽用床部材２０をその接合側端２５において順次接合して所要長さの列状部２１を組立てる。実施の形態に係る槽Ｓでは、収納溝２６が２つある一方面２２側を床面Ｆａとしている。そして、この列状部２１の多数を一方向Ｒａに直交する他方向Ｒｂに列設して床部Ｆを形成する。その後、列状部２１の収納溝２６に熱交換体Ｈを収納するとともに、支承部４０に伝熱板１０を支承する。更に、伝熱板１０の表面を含み一方面２２と、側壁部Ｋの内面に、非透水性シート５１を付設する。
【００３１】
この実施の形態に係る槽Ｓを用いて、魚を養殖するときは、槽Ｓ内に養殖用水からなる媒体Ｍを入れ、例えば、冬季など比較的外気温が低いときには、熱交換体Ｈに温水等を供給して媒体Ｍを加温し、夏期など比較的外気温が高いときには、熱交換体Ｈに冷水等を供給して媒体Ｍを冷却し、媒体Ｍの温度を常時適正に保つようにする。この結果、冬季，夏季の季節にかかわらず、魚の育成環境を良好に保持することができるようになる。
【００３２】
図８には、別の実施の形態に係る槽Ｓを示している。この槽Ｓは、水泳を行うプールである。予め、コンクリートで、底壁部Ｔ及び側壁部Ｋを構築するとともに、その底壁部Ｔの表面に、上記実施の形態に係る槽用床部材２０を用いて、上記と同様に槽Ｓの床部Ｆを設ける。この際にも、槽Ｓが必要とする熱交換体Ｈによる加温または冷却の熱交換の能力に応じて、槽用床部材２０の一方面２２及び他方面２３に形成した収納溝２６の数に応じた熱交換体Ｈの配置本数を定め、これに対応して槽用床部材２０の一方面２２及び他方面２３のいずれかを床面Ｆａにして、槽用床部材２０をその接合側端２５において順次接合して所要長さの列状部２１を組立てる。実施の形態に係る槽Ｓでは、収納溝２６が２つある一方面２２側を床面Ｆａとしている。そして、この列状部２１の多数を一方向Ｒａに直交する他方向Ｒｂに列設して床部Ｆを形成する。その後、列状部２１の収納溝２６に熱交換体Ｈを収納するとともに、支承部４０に伝熱板１０を支承する。更に、伝熱板１０の表面を含み一方面２２に非透水性シート５１を付設する。この本実施の形態に係る槽Ｓを用いて、水泳を行うときは、槽Ｓ内に水からなる媒体Ｍを入れ、例えば、熱交換体Ｈにより、媒体Ｍの温度を常時適正に保つようにする。温水プールとすることもできる。
【００３３】
尚、上記の実施の形態において、収納溝２６が２つある一方面２２側を床面Ｆａとしたが、必ずしもこれに限定されるものではなく、収納溝２６が１つある他方面２３側を床面Ｆａとしても良く、適宜変更して差支えない。また、槽用床部材２０を連設した列状部２１を一方向Ｒａに直交する他方向Ｒｂに列設して床部Ｆを形成する場合、収納溝２６が２つある一方面２２側を床面Ｆａとした列状部２１と、収納溝２６が１つある他方面２３側を床面Ｆａとした列状部２１とを、例えば、交互に配置するなどして混在させても良く、適宜変更して差支えない。更に、収納溝２６の数は、上述した数に限定されず、適宜変更して差支えない。また、列状部２１は、従来のように嵌め込んで設けるようにしても良い。そしてまた、上記実施の形態に係る槽Ｓは、本発明を、水耕栽培槽，魚の養殖用の水槽，水泳用のプールに適用した例で説明したが、これに限定されず、従来の培地栽培槽をはじめ、種々の槽に適用できることは勿論である。例えば、媒体によって熱交換体を加温または冷却して媒体から熱を取り出す槽にも適用できる。
【符号の説明】
【００３４】
Ｓ  槽
Ｍ  媒体
Ｆ  床部
Ｋ  側壁部
Ｈ  熱交換体
１  支持台
１０  伝熱板
２０  槽用床部材
２１  列状部
Ｒａ  一方向
Ｒｂ  他方向
２２  一方面
２３  他方面
２４  外側端
２５  接合側端
２６  収納溝
３０  第１係合凸部
３１  第１係合凹部
３２  第２係合凸部
３３  第２係合凹部
３４  段差部
４０  支承部
５０  側板
５１  非透水性シート
５２  蓋
５３  貫通孔
【図１】
0006653498.tif 000002
【図２】
0006653498.tif 000003
【図３】
0006653498.tif 000004
【図４】
0006653498.tif 000005
【図５】
0006653498.tif 000006
【図６】
0006653498.tif 000007
【図７】
0006653498.tif 000008
【図８】
0006653498.tif 000009
【図９】
0006653498.tif 000010